(57)【要約】  【課題】  挿入したＭｉｎｉ  ＳＤカード等の脱落を効率よく防ぎ、かつ製造の容易なカードアダプタを提供する。【解決手段】  アダプタ本体と、該アダプタ本体の上面を覆い、該アダプタ本体との間にメモリカードを挿入するカード挿入スロットを形成する蓋体とによってなり、かつ該カード挿入スロットの一端には、該アダプタ本体側に、挿入されるメモリカードの金属接続部に接触する金属端子を設けてなるカードアダプタにおいて、該カード挿入スロットの一方の側壁に溝を形成し、かつ該アダプタ本体の側壁から該溝内に延伸して末端が自由端となり、弾性的な復帰作用を具える突起プレートを設け、且つ該突起プレートの末端に該カード挿入スロット側に突起部を形成して構成する。【選択図】  図３
0003115300.tif 000002
【実用新案登録請求の範囲】
【請求項１】
アダプタ本体と、該アダプタ本体の上面を覆い、該アダプタ本体との間にメモリカードを挿入するカード挿入スロットを形成する蓋体とによってなり、かつ該カード挿入スロットの一端には、該アダプタ本体側に、挿入されるメモリカードの金属接続部に接触する金属端子を設けてなるカードアダプタにおいて、
該カード挿入スロットの一方の側壁に溝を形成し、かつ該アダプタ本体の側壁から該溝内に延伸して末端が自由端となり、弾性的な復帰作用を具える突起プレートを設け、且つ該突起プレートの末端に該カード挿入スロット側に突起部を形成したものであることを特徴とするカードアダプタ。
【請求項２】
前記突起プレートが該アダプタ本体と一体に射出形成したものであることを特徴とする請求項１に記載のカードアダプタ。
【請求項３】
前記カードアダプタに挿入するメモリカードがＭｉｎｉ  ＳＤ規格のメモリカードであることを特徴とする請求項１に記載のカードアダプタ。
【請求項４】
前記カードアダプタに挿入するメモリカードがＭｉｃｒｏ  ＳＤ規格のメモリカードであることを特徴とする請求項１に記載のカードアダプタ。
【請求項５】
前記カードアダプタに挿入するメモリカードがＭｉｎｉ  ＳＤ規格のメモリカードであって、該突起プレート、及び突起部が該カード挿入スロットの左側に形成したものであることを特徴とする請求項１、もしくは請求項３に記載のカードアダプタ。
【請求項６】
前記カードアダプタに挿入するメモリカードがＭｉｃｒｏ  ＳＤ規格のメモリカードであって、該突起プレート、及び突起部が該カード挿入スロットの右側に形成したものであることを特徴とする請求項１、もしくは請求項４に記載のカードアダプタ。
【考案の詳細な説明】
【技術分野】
【０００１】
この考案はメモリカードのアダプタに関し、特にＭｉｎｉ  ＳＤ、Ｍｉｃｒｏ  ＳＤ規格のメモリカードをSD規格のメモリカードに転換するカードアダプタの構造に関する。
【背景技術】
【０００２】
メモリカードは、現代における保存媒体で広く応用されている。体積が小さく、容量が大きいなどの特性を具えるとともに、データ間の伝送速度もかなり速く、１秒間に１０ＭＢの速度で書き込みと読み取りを尾ｋなうことができる。
【０００３】
目下、メモリカードは、ＸＤ、ＭＭＳＤ、ＳＤ、ＭＭＣ、ＣＦ、ＭＳ、ＳＭなど、かなりの種類のものが市販されている。これらタイプの異なるメモリカードの差別は、保存フォーマットと体積の違いにある。
【０００４】
メモリカードでデータの書き込みと読み取りを行う場合は、カードリーダーと読み取り装置とを電気的に接続して、はじめて書き込み、読み取りの目的を達成することができる。そこで、それぞれ異なるタイプのメモリカードの規格を整合し、一台のカードリーダーでデータの交換を行うために、三種類の規格の整合、五種類の規格の整合、７種類の規格の整合を行う装置が開発され、市販されている。これらは複数種類のメモリカードの規格を整合したものであって、即ち、異なる複数種のメモリカードについて、１台の装置で共通してデータの書き込みと読み取りを行うことを可能にしたものである。
【０００５】
上述するように、一台の装置で異なる規格のメモリカードのデータ書き込み、読み取りを行うことが可能となったが、但しＭｉｎｉ  ＳＤ／Ｍｉｃｒｏ  ＳＤについては、直接カードリーダでデータ間の伝送、交換を行うことができない。カードアダプタでＳＤ規格に転換して、はじめてカードリーダーと読み取り装置によってデータの出そう、交換を行うことができる。
【０００６】
図１に、従来のＭｉｎｉ  ＳＤ／Ｍｉｃｒｏ  ＳＤをＳＤ規格に転換するカードアダプタ１０を開示する。図面によれば、アダプタ本体１１は、金属プレート１２によってなる上蓋を含み、アダプタ本体１１と金属プレート１２とによってＭｉｎｉ  ＳＤカードのサイズのカード挿入スロット１３を形成する。
Ｍｉｎｉ  ＳＤカード２０を該カード挿入スロット１３挿入することによってＭｉｎｉ  ＳＤカード２０をＳＤ規格のメモリカードに転換することができる。
【０００７】
図２に、カードアダプタ１０の内部構造を開示する。図面によれば、Ｍｉｎｉ  ＳＤカード２０をカードアダプタ１０内に挿入すると、ＳＤ規格に転換することができる。同時に、Ｍｉｎｉ  ＳＤカード２０はカードアダプタ１０に設けた金属端子１４と接続する。よって、Ｍｉｎｉ  ＳＤカード２０を挿入したカードアダプタ１０をカードリーダに挿入することによって、Ｍｉｎｉ  ＳＤカード２０のデータと読み取り装置との間で、データの書き込みと読み取りを行うことができる。
【０００８】
Ｍｉｎｉ  ＳＤカード２０をカードアダプタ１０に挿入する場合にＭｉｎｉ  ＳＤカード２０が脱落することを防ぐために、カード挿入スロット１３の側壁に金属材（通常は銅）で構成する延伸アーム３０を設ける。延伸アーム３０はカードアダプタ１０の金属端子１４が下方に延伸して形成され、その末端の部分は突起フック部（１０）を形成し、該フック部１０がＭｉｎｉ  ＳＤカード２０の側面に形成された切り欠き溝２１に係合してＭｉｎｉ  ＳＤカード２０の脱落を防ぐ。
【０００９】
しかしながら、延伸アーム３０は金属端子１４が下方に延伸して形成されるため、金属端子１４を製造する上で不便である、また、このように薄く細い部分部材は折れやすく、組み立てることが容易でない。よって、製品の歩留まりに影響を耐えるとともに、製造コストが高くなる。
【考案の開示】
【考案が解決しようとする課題】
【００１０】
この考案は、挿入したＭｉｎｉ  ＳＤカード等の脱落を効率よく防ぎ、かつ製造の容易なカードアダプタを提供することを課題とする。
【課題を解決するための手段】
【００１１】
そこで、本考案者は従来の技術に見られる欠点に鑑み鋭意研究を重ねた結果、カードアダプタのカード挿入スロットの一方の側壁に溝を形成し、かつ該アダプタ本体の側壁から該溝内に延伸して末端が自由端となり、弾性的な復帰作用を具える突起プレートを設け、且つ該突起プレートの末端に該カード挿入スロット側に突起部を形成してなるカードアダプタの構造によって課題を解決できる点に着眼し、かかる知見に基づいて本考案を完成させた。
【００１２】
以下、この考案について具体的に説明する。
請求項１に記載するカードアダプタは、アダプタ本体と、該アダプタ本体の上面を覆い、該アダプタ本体との間にメモリカードを挿入するカード挿入スロットを形成する蓋体とによってなり、かつ該カード挿入スロットの一端には、該アダプタ本体側に、挿入されるメモリカードの金属接続部に接触する金属端子を設けてなるカードアダプタにおいて、
該カード挿入スロットの一方の側壁に溝を形成し、かつ該アダプタ本体の側壁から該溝内に延伸して末端が自由端となり、弾性的な復帰作用を具える突起プレートを設け、且つ該突起プレートの末端に該カード挿入スロット側に突起部を形成する。
【００１３】
請求項２に記載するカードアダプタは、請求項１における突起プレートが該アダプタ本体と一体に射出形成される。
【００１４】
請求項３に記載するカードアダプタは、請求項１におけるカードアダプタに挿入するメモリカードがＭｉｎｉ  ＳＤ規格のメモリカードである。
【００１５】
請求項４に記載するカードアダプタは、請求項１におけるカードアダプタに挿入するメモリカードがＭｉｃｒｏ  ＳＤ規格のメモリカードである。
【００１６】
請求項５に記載するカードアダプタは、請求項１、もしくは請求項３におけるカードアダプタに挿入するメモリカードが、Ｍｉｎｉ  ＳＤ規格のメモリカードであって、該突起プレート、及び突起部が該カード挿入スロットの左側に形成される。
【００１７】
請求項６に記載するカードアダプタは、請求項１、もしくは請求項４におけるカードアダプタに挿入するメモリカードがＭｉｃｒｏ  ＳＤ規格のメモリカードであって、該突起プレート、及び突起部が該カード挿入スロットの右側に形成される。
【考案の効果】
【００１８】
本考案のカードアダプタは、挿入したＭｉｎｉ  ＳＤカードの脱落を効率よく防ぎ、かつ製造が容易であるため、製品の歩留まりを高め、製造コストを低減させることができるといった利点を有する。
【考案を実施するための最良の形態】
【００１９】
この考案はＭｉｎｉ  ＳＤカード、Ｍｉｃｒｏ  ＳＤをSDカードの規格に添加するカードアダプタを提供するものであって、アダプタ本体と、該アダプタ本体の上面を覆い、該アダプタ本体との間にメモリカードを挿入するカード挿入スロットを形成する蓋体とによってなり、かつ該カード挿入スロットの一端には、該アダプタ本体側に、挿入されるメモリカードの金属接続部に接触する金属端子を設けてなるカードアダプタにおいて、該カード挿入スロットの一方の側壁に溝を形成し、かつ該アダプタ本体の側壁から該溝内に延伸して末端が自由端となり、弾性的な復帰作用を具える突起プレートを設け、且つ該突起プレートの末端に該カード挿入スロット側に突起部を形成してなるカードアダプタによって、挿入したＭｉｎｉ  ＳＤカード等の脱落を効率よく防ぎ、かつ製造を容易にするといった目的を実現した。
係るカードアダプタの構成について、その構造と特徴を詳述するために具体的な実施例を挙げ、以下に説明する。
【実施例】
【００２０】
図３、４に、この考案によるカードアダプタを開示する。図面によれば、カードアダプタ１０は、アダプタ本体１１と、蓋体１２とによってなる。蓋体１２はアダプタ本体１１の上面を覆いアダプタ本体１１との間に、Ｍｉｎｉ  ＳＤカード２０を挿入するカード挿入スロット１３を形成する。また、カード挿入スロット１３の一端には、アダプタ本体１１側にＭｉｎｉ  ＳＤカード２０の金属接続部２２に接触する金属端子１４を設ける。
【００２１】
カード挿入スロット１３の一方の側壁に溝１５を形成し、かつアダプタ本体１の側壁から該溝１５内に延伸する突起プレート１６をアダプタ本体１１と一体に射出形成する。突起プレート１１５は、末端が自由端となり、弾性的な復帰作用を具える。また、突起プレート１１５の末端にはカード挿入スロット１３側に突起部１７を形成する。
【００２２】
Ｍｉｎｉ  ＳＤカード２０の側面には切り欠き溝２１が形成してある。図５に開示するように、Ｍｉｎｉ  ＳＤカード２０をカードアダプタ１０に挿入すると、突起プレート１１５の末端の突起部１７が切り欠き溝２１に係合し、Ｍｉｎｉ  ＳＤカード２０の脱落を防止する。
【００２３】
また、突起プレート１６は、溝１５内にあって、弾性的に復帰するように形成されている。よって、Ｍｉｎｉ  ＳＤカード２０を取り出す場合、Ｍｉｎｉ  ＳＤカード２０を外方向にやや力を入れて引き出すだけで切り欠き溝２１が突起プレート１６の突起部１７を押し圧し、突起部１７が突起プレート１６を動かして後方に向かう擺動現象を発生させる。このため、突起部１６が切り欠き溝２１から外れ、Ｍｉｎｉ  ＳＤカード２０を抜き取ることができる。Ｍｉｎｉ  ＳＤカード２０を抜き取ると突起プレート１７は弾性的復帰作用によって本来の状態に復帰する。
【００２４】
ここで注目すべき点は、この考案における溝１５と、突起プレート１６とがアダプタ本体１１を射出成型する場合に一体に成型されるという点である。また、突起プレート１６は、上述するように溝１５内において弾性的復帰作用を有して存在する。よって、Ｍｉｎｉ  ＳＤカード２０を挿入した場合、好ましいカード脱落防止効果が得られ、更に抜き差しの操作を順調に行うことができる。
【００２５】
更に、突起プレート１６は、上述するようにアダプタ本体１１と一体に射出成型するため、従来の金属材による延伸アームに見られる取れやすく、組み立てが難しいといった欠点を改善することができ、製品の歩留まりを高め、生産性を高め、カードアダプタの製造コストを大幅に節減することができる。
【００２６】
図６、７にこの考案によるカードアダプタをＭｉｃｒｏ  ＳＤカードに応用した実施形態を開示する。Ｍｉｃｒｏ  ＳＤカード４０は、右側面に切り欠き溝４１が形成してある。よって、溝１５、突起プレート１６は、カード挿入スロット内の右側に形成する。
【００２７】
図面に開示するように、Ｍｉｃｒｏ  ＳＤカード４０を挿入すると、突起プレート１６の末端の突起部１７が切り欠き溝４１に係合してＭｉｃｒｏ  ＳＤカード４０の脱落を防ぐ。また、突起プレート１６は溝１５内において弾性的に復帰する作用を有する。よって、Ｍｉｃｒｏ  ＳＤカード４０を取り出す場合、Ｍｉｃｒｏ  ＳＤカード４０を外方向にやや力を入れて引き出すだけで切り欠き溝４１が突起プレート１６の突起部１７を押し圧し、突起部１７が突起プレート１６を動かして後方に向かう擺動現象を発生させる。このため、突起部１６が切り欠き溝４１から外れ、Ｍｉｃｒｏ  ＳＤカード４０を抜き取ることができる。Ｍｉｃｒｏ  ＳＤカード４０を抜き取ると突起プレート１７は弾性的復帰作用によって本来の状態に復帰する。
【００２８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２９】
【図１】従来のカードアダプタとＭｉｎｉ  ＳＤカードの外観を示した斜視図である。
【図２】Ｍｉｎｉ  ＳＤカードを従来のカードアダプタに挿入した状態を示した説明図である。
【図３】この考案によるカードアダプタの分解図である。
【図４】この考案のカードアダプタにＭｉｃｒｏ  ＳＤカードを挿入した状態を示した斜視図である。
【図５】この考案のカードアダプタにＭｉｎｉ  ＳＤカードを挿入した状態を示した説明図である。
【図６】他の実施形態において、カードアダプタにＭｉｃｒｏ  ＳＤカードを挿入した状態を示した説明図である。
【図７】Ｍｉｃｒｏ  ＳＤカードの説明図である。
【符号の説明】
【００３０】
１０        カードアダプタ
１１        アダプタ本体
１２        蓋体
１３        カード挿入スロット
１４        金属端子
１５        溝
１６        突起プレート
１７        突起部
２０        Ｍｉｎｉ  ＳＤカード
２１        切り欠き溝
２２        金属接続部
４０        Ｍｉｃｒｏ  ＳＤカード
４１        切り欠き溝
【図１】
0003115300.tif 000003
【図２】
0003115300.tif 000004
【図３】
0003115300.tif 000005
【図４】
0003115300.tif 000006
【図５】
0003115300.tif 000007
【図６】
0003115300.tif 000008
【図７】
0003115300.tif 000009